(57)【要約】【課題】カードを安定に挿入でき、使用寿命が長寿命かし得るカード用コネクタを提供すること。【解決手段】本考案のカード用コネクタは、底板とカードを収容するための収容空間を含むインシュレータと、前記収容空間に突出するように形成される接触部を有する複数の導電端子と、を含むカード用コネクタにおいて、前記インシュレータの底板に保持される本体部と、該本体部から前記収容空間へ斜めに延出するように形成され、カードを挿入する際にカードに弾性的に支持するための弾性アームと、を有する支持部材を含むことを特徴とするカード用コネクタが提供され、これにより、カードの挿入する過程において、前記支持部材によりカードを支持でき、前記弾性アームによりカード挿入時の保持力を高くできるので、カードを安定して挿入し、カードを斜めに挿入することを減少できる。【選択図】図１
0003133249.tif 000002
【実用新案登録請求の範囲】
【請求項１】
底板と、カードを収容するための収容空間と、を含むインシュレータと、
前記収容空間に突出するように形成される接触部を有する複数の導電端子と、
を含むカード用コネクタにおいて、
前記インシュレータの底板に保持される本体部と、該本体部から前記収容空間へ斜めに延出するように形成され、カードを挿入する際にカードに弾性的に支持するための弾性アームと、を有する支持部材を含むことを特徴とするカード用コネクタ。
【請求項２】
前記インシュレータの底板には、前記支持部材の本体部を収容するための係止溝が形成されることを特徴とする、請求項１記載のカード用コネクタ。
【請求項３】
前記支持部材の本体部には、前記インシュレータの係止溝に干渉し係合するための突刺が形成され、且つ、前記本体部の幅は弾性アームの末端の幅より大きいことを特徴とする、請求項２に記載のカード用コネクタ。
【請求項４】
前記インシュレータの底板には、前記支持部材の本体部に係合するように前記係止溝に形成される当接壁と、前記係止溝に連通する凹部と、が設けられ、前記支持部材の弾性アームは前記凹部に沿って斜めに延出するように形成されることを特徴とする、請求項３に記載のカード用コネクタ。
【請求項５】
前記弾性アームは、前記本体部から斜めに延出するように形成される第１弾性アームと、第２弾性アームと、を有し、前記第１弾性アームと、第２弾性アームと、は構造が同じで、前記インシュレータの底板から離れる高さも同じであることを特徴とする、請求項１乃至請求項３のいずれかの一項に記載のカード用コネクタ。
【請求項６】
前記弾性アームは、上向きに突出するように形成され、カードに当接するための弧状部を有することを特徴とする、請求項５に記載のカード用コネクタ。
【請求項７】
前記インシュレータは開口が形成される右側壁を有し、且つ前記インシュレータにフレームに覆い取付けられ、該フレームに前記インシュレータの開口を介して前記収容空間へ突出する押圧弾性片が形成されることを特徴とする、請求項１に記載のカード用コネクタ。
【請求項８】
前記底板に複数の端子溝と、端子溝の両側に形成される凸部と、を有し、前記凸部にはカードの挿入をガイドするための案内斜面が形成されることを特徴とする、請求項１に記載のカード用コネクタ。
【考案の詳細な説明】
【技術分野】
【０００１】
本考案は、カード用コネクタに関し、特に、カードを安定し挿入できるカード用コネクタに関するものである。
【背景技術】
【０００２】
従来技術は特許文献１に示すように、従来のカード用コネクタはインシュレータと、前記インシュレータに装着された複数の導電端子と、インシュレータに覆っているフレームと、を含み、前記フレームとインシュレータは、カードを挿入するための収容空間からなる。前記導電端子は、前記カードに接続するように収容空間を突出する接触部と、前記インシュレータを突出するように回路基板に半田付けられる半田部と、を有する。
【特許文献１】台湾実用新案第２８９９１５号明細書
【考案の開示】
【考案が解決しようとする課題】
【０００３】
従来技術のカード用コネクタは、カードの挿入する過程において、カードに斜めに挿入する恐れがあり、カードを斜めに挿入すれば、前記導電端子が損傷される恐れがあった。また、カードを繰り返し挿入する際に、カードの導電パッドと導電端子の接触部との間の摩損が生じる恐れがあるので、カードの使用寿命が減少する可能性があった。上述した欠点に鑑みて、新型なカード用コネクタを開発することが必要である。
【０００４】
本考案は、カードを安定に挿入でき、使用寿命を長寿命かし得るカード用コネクタを提供することを目的とする。
【課題を解決するための手段】
【０００５】
本考案のカード用コネクタは、底板とカードを収容するための収容空間を含むインシュレータと、前記収容空間に突出するように形成される接触部を有する複数の導電端子と、を含むカード用コネクタにおいて、前記インシュレータの底板に保持される本体部と、該本体部から前記収容空間へ斜めに延出するように形成され、カードを挿入する際にカードに弾性的に支持するための弾性アームと、を有する支持部材を含むことを特徴とするカード用コネクタが得られる。
【考案の効果】
【０００６】
従来技術に比べ、本考案は以下の利点を有する。本考案のカード用コネクタは、カードの挿入する過程において、前記支持部材によりカードを支持でき、前記弾性アームによりカード挿入時の保持力を高くできるので、カードを安定して挿入し、カードを斜めに挿入することを減少できる。また、カードを弾性アームによりカードを上向きに支持し、これによって、カードの導電パッドと導電端子の接触部の間の摩損が減少され、カード用コネクタの使用寿命を延長できる。
【考案を実施するための最良の形態】
【０００７】
以下、図１〜図７を参照して、本考案のカード用コネクタの好ましい実施形態について、添付図面を参照して説明する。該カード用コネクタ１００は、回路基板（図示せず）に実装され、カード６を収容するのに用いられ、インシュレータ１と、インシュレータ１に装着される複数の導電端子２と、ロック部材３と、支持部材４と、インシュレータ１を覆っているフレーム５と、を有する。
【０００８】
図４を参照すると、前記インシュレータ１は、ほぼ矩形状を呈し、天板１１と底板１４と左右側壁１２、１３と、後壁１５と、カード６を収容するための収容空間１６と、を含む。その中、左側壁１２は両端部にそれぞれ形成された両第１係合部１２１と、前記第１係合部１２１の間に形成された第１開口１２２と、を有し、前記右側壁１３には両端部に前記第１係合部１２１にそれぞれ対応した第２係合部１３１と、両第２係合部１３１の間に形成された第２開口１３２と、を有する。前記天板１１は、後端の左側壁１２に隣接する箇所に形成された前記第１開口１２２に連通するＬ字形状を呈する保持溝１１１と、後端の右側壁１３に隣接する箇所に形成された前記第２開口１３２に連通する固持溝１１２と、が設けられる。前記底板１４は先端部の中央に前記支持部材４を係合し収容するための係止溝１４１と、該係止溝１４１に連通する凹部１４２と、が形成され、前記係止溝１４１に支持部材４に係止するための当接壁（図示せず）が形成される。また、底板１４の中部に複数の端子溝１４４と、端子溝１４４の両側に形成される凸部１４５と、が形成され、凸部１４５にはカード６の挿入をガイドするための案内斜面１４５１が形成される。前記後壁１５に前記複数の端子溝１４４に対応した複数の通孔１５１が形成される。
【０００９】
前記導電端子２は、前記端子溝１４４に収容するための基部２１と、基部２１の一端から前記収容空間１６に突出するように形成される接触部２２と、基部２の他端から折曲がり延出するように形成される半田部２３と、を含む。
【００１０】
前記ロック部材３は、Ｌ字形状を呈する保持部３１と、保持部３１から前向きに延出するように形成されるＶ字形状を呈するロック部３２と、を有し、保持部３１がインシュレータ１の保持溝１１１に保持され、ロック部３２はカード６を保持するために前記第１開口１２２を通じて収容空間１６へ突出している。
【００１１】
図４と図５を参照すると、前記支持部材４は、幅が広い本体部４１と、該本体部４１から前記凹部１４２に沿って後向き斜めに延出するように形成される第１弾性アーム４２と、第２弾性アーム４３と、を有する。前記本体部４１は、前記当接壁に係合し、両側には前記係止溝１４１に干渉し収容するための複数の突刺４１１が形成される。前記第１弾性アーム４２と第２弾性４３の自由末端には、カードの挿入力を減少するために、上向きに突出するように形成される弧状部がそれぞれ形成される。前記第１弾性アーム４２と第２弾性アーム４３は構造が同じで、また、前記底板１４から離れる高さも同じであり、且つ、第１弾性アーム４２と第２弾性アーム４３との自由末端の幅が本体部４１の幅より小さいので、支持部材４を底板１４に保持するのに有利である。
【００１２】
図４を参照すると、前記フレーム５は金属片からなり、頂板５１と、頂板５１の両端から下向きに折曲がって延出するようにそれぞれ形成される第１係合片５２及び両第２係合片５３と、前記両第２係合片５３の間に形成される押圧弾性片５４と、を有する。前記第１係合片５２と第２係合片５３は、第１半田片５２１と、第２半田片５３１と、第１係合孔５２２と、第２係合孔５３２と、がそれぞれ形成される。前記押圧弾性片５４は、後端に前記固持溝１１２に収容するための固定部５４１が形成され、先端に第２開口１３２を介して前記収容空間１６を突出するようにカード６に係合するための弾性部５４２と、を有する。
【００１３】
図６を参照すると、カード６は、本実施状態において、ＭＳ（Memory Stick）（登録商標））カードであり、底面に複数の導電パッド（図示せず）が配置され、カード６の両側には、第１凹部（図示せず）と、第２凹部６１と、がそれぞれ形成される。
【００１４】
図１乃至図４を参照すると、取り付ける際に、まず、前記導電端子２をインシュレータ１の通孔１５１を介してインシュレータ１に挿入して装着し、この時、導電端子２の接触部２２を前記収容空間１６に延出させ、半田部２３をインシュレータ１の後壁１５に突出させる。次に、ロック部材３を天板１１からインシュレータ１に下向きに取り付け、ロック部材３の保持部３１を保持溝１１１に保持させ、ロック部３２を第１開口１２２を介して前記収容空間１６に突出させる。更次に、支持部材４を前方からインシュレータ１の係止溝１４１に装着し、その本体部４１を係止溝１４１に係止させ、前記第１弾性アーム４２と第２弾性アーム４３とを凹部１４２を通じて収容空間１６に延出している。最後に、フレーム５でインシュレータ１を覆い、前記第１係合孔５２２と第２係合孔５３２がインシュレータ１の第１係合部１２１と第２係合部１３１に係合することにより、フレーム５をインシュレータ１に取り付けさせ、また、前記押圧弾性５４の弾性部５４２が前記第２開口１３２を介して収容空間１６を突出している。
【００１５】
図６と図７を参照すると、使用する際に、カード６をインシュレータ１の収容空間１６に挿入し、この時、カード６の底面は前記支持部材４の第１弾性アーム４２と第２弾性アーム４３に弾性的に支持されるとともに前記案内斜面１４５１のガイドにより収容空間１６の内部に挿入し、カード６が収容空間１６に完全に挿入される時に、前記ロック部材３のロック部３２と押圧弾性片５４の弾性部５４２がカード６の両側に形成される第１凹部と第２凹部６１にそれぞれ係合し、カード６の導電パッドと前記導電端子２の接触部２２との間に電気的な接続を達成できる。
【００１６】
本考案のカード用コネクタ１００は、カード６の挿入する過程において、前記支持部材４によりカード６を支持でき、前記第１弾性アーム４２と第２弾性アーム４３によりカード６の挿入する時の保持力を高めることができるので、カード６を安定に挿入させ、斜めに挿入することが減少できる。また、カード６を第１弾性アーム４２と第２弾性アーム４３によりカード６を上向きに支持し、これによって、カード６の導電パッドと導電端子２の接触部２２との間の摩損が減少し、カード用コネクタ１００の使用寿命を延長できる。
【００１７】
以上本考案について最良の実施の形態を参照して詳細に説明したが、実施形態はあくまでも例示的なものであり、これらに限定されるものではなく、例えば、カードはＭＳＤｕｏ(Memory Stick Duo)（登録商標））カードでもよく、また、前記支持部材はインサート成形によりインシュレータに埋設し得る。また上述の説明は、本考案に基づきなしうる細部の修正或は変更など、いずれも本考案の請求範囲に属するものである。
【図面の簡単な説明】
【００１８】
【図１】本考案に係るカード用コネクタの組立斜視図である。
【図２】図１に示すカード用コネクタの他の角度から見た組立斜視図である。
【図３】本考案に係るカード用コネクタの部分の分解斜視図であり、フレームが外される分解斜視図である。
【図４】本考案に係るカード用コネクタの分解斜視図である。
【図５】本考案に係るカード用コネクタの支持部材の斜視図である。
【図６】本考案に係るカード用コネクタにカードをまだ挿入しない斜視図である。
【図７】本考案に係るカード用コネクタにカードを挿入した斜視図である。
【符号の説明】
【００１９】
１  インシュレータ
２  導電端子
３  ロック部材
４  支持部材
５  フレーム
６  カード
１１  天板
１２、１３  側壁
１４  底板
１５  後壁
１６  収容空間
２１  基部
２２  接触部
２３  半田部
３１  保持部
３２  ロック部
４１  本体部
４２  第１弾性アーム
４３  第２弾性アーム
５１  頂板
５２  第１係合片
５３  第２係合片
５４  押圧弾性片
１００  カード用コネクタ
１１１  保持溝
１１２  固持溝
１２１  第１係合部
１２２  第１開口
１３１  第２係合部
１３２  第２開口
１４１  係止溝
１４２  凹部
１４４  端子溝
１４５  凸部
１４５１  案内斜面
１５１  通孔
４１１  突刺
５２１  第１半田片
５２２  第１係合孔
５３１  第２半田片
５３２  第２係合孔
５４１  固定部
５４２  弾性部
【図１】
0003133249.tif 000003
【図２】
0003133249.tif 000004
【図３】
0003133249.tif 000005
【図４】
0003133249.tif 000006
【図５】
0003133249.tif 000007
【図６】
0003133249.tif 000008
【図７】
0003133249.tif 000009